(57)【要約】【課題】携帯電話あるいはＰＨＳ等の移動端末機のバッテリセービング機能を強化する。【解決手段】従来のバッテリセービングはサービスエリア圏外での待ち受け状態では、電源を一定周期（固定周期）でオン／オフ制御してバッテリセービングを行うが、これに加えて、移動端末機の携帯者が不使用であるときは電源オフの期間を長くしてバッテリセービングを積極的に行う。【選択図】  図２
2004172696.tif 000002
【特許請求の範囲】
【請求項１】
サービスエリア圏内／圏外を識別する検出回路と、この検出回路の検出情報によりサービスエリア圏外での待ち受け状態において無線部および制御関連以外の回路の電源をオフするとともに、無線部および制御関連の回路の電源を周期的にオン／オフしてバッテリ消費を抑制するバッテリセービングを有する移動端末機において、携帯者が移動端末機を所定時間以上不使用であることを認識したとき、前記電源のオフ期間を延長することを特徴とする移動端末機。
【請求項２】
前記携帯者の移動端末機の所定時間以上の不使用の認識が移動端末機の一部に実装された光検出器の出力低下によるものである請求項１記載の移動端末機。
【請求項３】
前記携帯者の移動端末機の所定時間以上の不使用の認識が移動端末機の一部に実装された振動検出器の出力低下によるものである請求項１記載の移動端末機。
【発明の詳細な説明】
【０００１】
【発明の属する技術分野】
本発明は、サービスエリア圏内／圏外を識別してバッテリ消費を抑制するバッテリセービング機能を有する移動端末機に関するものである。
【０００２】
【従来の技術】
携帯電話あるいはＰＨＳ等の移動端末機では、従来からサービスエリア圏内では各回路の電源を常時オンにするが、圏外では、無線部および制御関連以外の回路の電源をあらかじめ決められた一定周期（固定周期）でオン、オフしてバッテリ消費を抑制するバッテリセービング機能を有するものとされている。
【０００３】
従来のバッテリセービングはサービスエリア圏外での待ち受け状態では、移動端末機の携帯者は本来のサービスが受けられ無い。したがって、基地局と移動端末機の間での最小限必要な信号の授受のみに止める、すなわち、電源を一定周期（固定周期）でオン／オフ制御し、オンの期間に基地局と移動端末機の間での最小限必要な信号の授受を行うに止めることでバッテリセービングを行うものである。
【０００４】
図１は従来の移動端末機のブロック図を示す。アンテナを介して基地局からの無線情報を送受信する無線部１から無線情報を受け、メモリ２に予め記憶されている電界強度値と比較してサービスエリア圏内／圏外を検出する。制御部４はサービスエリア圏外が検出された時、表示部５、操作部６、スピーカ７およびメモリ２のデータ関連への電源供給を停止する。さらに、サービスエリア圏外が検出された時、制御部４はメモリ２に予め記憶されてる一定周期（固定周期）の情報を受け、電源オン／オフ周期を設定する。タイマ３で設定された電源オン／オフ周期を計数し、オフ期間のときは制御関連の回路を除く全ての回路の電源をオフとし、オン期間には無線部および制御関連の回路の電源をオンとする。
【０００５】
このように、移動端末機が本来の機能を発揮できないサービスエリア圏外では、実質的に全ての電源がオフとされるので、バッテリ消費が抑制されるが、一定周期（固定周期）でオンの期間があり、無線部および制御関連の回路の電源がオンとされバッテリが消費されるので、十分なバッテリセービングではないという問題点がある。
【０００６】
【特許文献１】
特開平９−２７５５８７号公報
【０００７】
【発明が解決しようとする課題】
本発明の目的は、サービスエリア圏外での待ち受け状態の時に、移動端末機の携帯者が不使用であることを認識して、より効率的なバッテリセービングが可能な移動端末機を提供することにある。さらには、サービスエリア圏内であっても、携帯者が不使用であることを認識して、効率的なバッテリセービングが可能な移動端末機を提供することにある。
【０００８】
【課題を解決するための手段】
従来技術で採用されているサービスエリア圏外での待ち受け状態では、電源を一定周期（固定周期）でオン／オフ制御するのに加えて、移動端末機の携帯者が不使用であることを認識して、固定周期のオフ期間よりの電源オフ期間を長くする。
【０００９】
【発明の実施の形態】
図２（Ａ）は本発明の移動端末機のブロック図を示す。図２（Ａ）に於いて、図１と同じ構成要素には同じ参照番号を付した。図１と対比して明らかなように、本発明では、携帯者不使用検出部８が付加されており、移動端末機の携帯者が不使用であるとき、これを制御部４に伝える。後述するように、携帯者不使用検出部８から信号が与えられると、制御部４では、所定時間不使用が継続することを確認した後、固定周期のオフ期間よりの電源オフ期間を長くする。
【００１０】
図２（Ｂ）は携帯者不使用検出部８の一例を示すブロック図である。４１は光検出回路であり、移動端末機の本体の一部に開口部を設けて取り付けられている。開口部に入力される移動端末機の本体周辺の明かりに対応して、所定の大きさ以上の光強度であれば出力が得られる。４２はインバータであり、光検出回路４１の出力を入力とし、これを反転させた出力を生ずる。４３は出力端子である。図２（Ｂ）の構成によれば、移動端末機の本体周辺がある程度の明るさであるときは、出力端子４３は信号を出さず、暗くなってくると出力端子４３が信号を出すことになる。
【００１１】
この構成によれば、したがって、移動端末機の携帯者が昼間活動する時間帯では、まわりは明るい状態なので光検出回路４１が出力を出し、出力端子４３が信号を出さない。これにより、携帯者が移動端末機を使用状態であると推定される。一方、移動端末機の携帯者が夜就寝する時は、まわりは暗い状態なので光検出回路４１が出力を出さず、出力端子４３が信号を出すことになる。これにより、携帯者が移動端末機を不使用状態であると推定される。
【００１２】
図２（Ｃ）は携帯者不使用検出部８の他の一例を示すブロック図である。この例は、図２（Ｂ）の光検出回路４１に代えて、加速度検出器４５を設けたもので、他の構成要素は同じである。この例では、移動端末機の携帯者が活動中であれば移動端末機が動かされるため、移動端末機に加速度が作用するから、加速度検出器４５の出力があり、出力端子４３が信号を出さない。これにより、携帯者が移動端末機を使用状態であると推定される。一方、移動端末機が、机上に放置されているような状況では、移動端末機に加速度が作用することはなく、加速度検出器４５の出力がなくなり、出力端子４３が信号を出す。これにより、携帯者が移動端末機を不使用状態であると推定される。
【００１３】
図３は、本発明による電源のオン／オフ周期の制御のフローの一例を示す図である。ステップ１１では移動端末機の携帯者による送受信操作が行われているか否かを判断する。送受信操作が行われていれば何もしないで判断を繰り返す。ステップ１１で移動端末機の携帯者による送受信操作が行われていないと判断されたときは、ステップ１２に進み、受信の電界強度は設定強度より大きいか否かを判断する。電界強度が大きいと判断されたときは、ステップ１４でサービスエリア圏内と判定してステップ１８に進み電源オンを維持する。電界強度が小さいと判断されたときは、ステップ１３でサービスエリア圏外と判定してステップ１５に進み無線部および制御関連以外の電源をオフとする。さらに、ステップ１６に進み通常の電源オン／オフ制御を実行する。ついで、ステップ１７に進み、移動端末機の携帯者不使用検出部の信号ありか否かを判断する。携帯者不使用検出部の信号無しと判断されると再びステップ１１に戻り判断を繰り返す。ステップ１７で携帯者不使用検出部の信号ありと判断されると、ステップ１９に進み携帯者不使用が所定の時間経過したか否かを判断する。経過していないと判断されると、再びステップ１１に戻り判断を繰り返す。経過していると判断されると、通常の電源オン／オフ周期よりオフ期間を長くする。
【００１４】
図４は、図３のフローに従った処理が行われたときの、電源のオン／オフの状況の一例を示すダイアグラムである。時刻ｔ１に移動端末機の携帯者による送受信操作が開始されて時刻ｔ２までこれが継続したとする。時刻ｔ２以降ステップ１２、１４および１８の流れで電源オンが維持されている。時刻ｔ３に受信の電界強度が設定強度より小さいと判断されたため、ステップ１３でサービスエリア圏外と判定され、ステップ１５に進み無線部および制御関連以外の電源をオフとする。さらに、ステップ１６に進み通常の電源オン／オフ制御が実行されている。通常の電源オン／オフ制御が実行されている状況で、時刻ｔ４で移動端末機の携帯者による不使用が検出されると、時間の計測が開始される。移動端末機の携帯者による不使用が検出され、時刻ｔ５で所定時間の経過が検出されると通常の電源オン／オフ制御の電源オフよりも長い時間電源オフとされる。
【００１５】
図５は、本発明による電源のオン／オフ周期の制御のフローの他の一例を示す図であり、図３のフローに代えて電源オンの維持の処理を削除した例である。同じ処理には同じ参照番号を付した。図３と対比して明らかなように、電源オンの維持の処理であるステップ１８を削除して、ステップ１４でサービスエリア圏内と判定した後、ステップ１５に進む。以後の処理は図３と同じである。
【００１６】
図５のフローは、移動端末機の携帯者が不使用であるときには、電界強度が大きいか否か、すなわち、サービスエリア圏内か否かに関係なく、本発明のバッテリセービングを実行することを提案するものである。
【００１７】
このように、本発明は、移動端末機の携帯者が不使用であるときは、積極的にバッテリセービングを実行することを提案するものである。これは、従来の電源オンの維持および所定の周期での電源のオン／オフが携帯者による使用への即時の対応のために有用であるために取られたことであるが、実質的な意味での即時の対応は、不使用時に十分長い時間電源オフとするオン／オフ制御としても、支障が無いことに着目したものである。
【００１８】
【発明の効果】
本発明によれば、移動端末機の携帯者が不使用であるときはバッテリセービングを積極的に行うものとしたから、無駄なバッテリ消費を抑制することができる。
【図面の簡単な説明】
【図１】従来の移動端末機の構成を示すブロック図。
【図２】（Ａ）は本発明の移動端末機の一実施例の構成を示すブロック図、（Ｂ）は携帯者不使用検出部８の一例を示すブロック図、（Ｃ）は携帯者不使用検出部８の他の一例を示すブロック図。
【図３】本発明による電源のオン／オフ周期の制御のフローの一例を示す図。
【図４】図３のフローに従った処理が行われたときの、電源のオン／オフの状況の一例を示すダイアグラム。
【図５】本発明による電源のオン／オフ周期の制御のフローの他の一例を示す図。
【符号の説明】
１…無線部、２…メモリ、３…タイマ、４…制御部、５…表示部、６…操作部、７…スピーカ、８…携帯者不使用検出部。
【図１】
2004172696.tif 000003
【図２】
2004172696.tif 000004
【図３】
2004172696.tif 000005
【図４】
2004172696.tif 000006
【図５】
2004172696.tif 000007